(57)【要約】【課題】テラスやカーポート等の天井にスライドレール設け、該スライドレールから懸吊される吊り下げ型の物干し金物を提供するもので、該物干し金物は、不要時にテラスやサンルームの柱側や軒付側の隅に摺動させて収納することにより、テラスやカーポートを物干し以外に利用したい時、頭上の物干し金物が邪魔にならないようにする。【解決手段】テラスやカーポートの天井にスライドレールを１対平行または、環上に設置し、該スライドレールに摺動可能にライナーを掛着して設け、該ライナーに対して回転可能に支持して懸吊した吊りパイプを設け、該懸吊された吊りパイプ下端に物干し竿掛けを連結して物干し金物を構成した。そして、物干し金物を吊りパイプ並びに前記ライナーを介してスライドレール上にに複数個懸吊し、該複数個の物干し金物の内で互いに対向する一対の物干し金物の物干し竿掛け間に物干し竿を装架して吊り下げ型物干しを設定できる。【選択図】図４
2005058302.tif 000002
【特許請求の範囲】
【請求項１】
建造物のテラスあるいはカーポートの天井に、直接または該天井面を構成する垂木や屋根梁を利用して設置されたスライドレール、と、
該スライドレールに摺動可能に掛着して設けたライナー、及び、
該ライナーに対して回転可能に支持して懸吊した吊りパイプ、
より成り、
該懸吊された吊りパイプ下端に物干し竿掛けを連結して物干し金物を構成し、又、該物干し金物を吊りパイプ並びに前記ライナーを介してスライドレールに複数個懸吊し、且つ、該複数個の物干し金物の内で互いに対向する一対の物干し金物の物干し竿掛け間に物干し竿を装架して設定された吊り下げ型物干しとなし、
該吊り下げ型物干しを前記テラス内あるいはカーポート内において不必要な時にはスライドレール上をライナーを介して摺動せしめ、該吊り下げ型物干しを前記テラスあるいはカーポートの柱側や軒付側の隅に収納すること、
を特徴とする吊り下げ型物干し。
【請求項２】
建造物のテラスあるいはカーポートの天井に直接または該天井面を構成する垂木や屋根梁に適宜間隔を持ち平行に設置された１対のスライドレール、と、
該それぞれのスライドレールに摺動可能に掛着して設けたライナー、及び、
該それぞれのライナーに対して回転可能に支持して懸吊した吊りパイプ、より成り、
該それぞれの吊りパイプ下端に物干し竿掛けをそれぞれ連結して一対の物干し金物を構成し、且つ、該一対の物干し竿掛け間に物干し竿を装架して設定された吊り下げ型物干しとなし、
該吊り下げ型物干しは前記テラス内またはカーポート内において不必要な時には物干し竿を外すことなくスライドレール上をライナーを介して摺動せしめ、該吊り下げ型物干しを前記テラスあるいはカーポートの柱側や軒付側の隅に収納すること、
を特徴とする吊り下げ型物干し及び物干し金物の収納装置。
【請求項３】
前記テラスあるいはカーポートの天井に直接、または該天井面を構成する垂木や屋根梁を利用し設置されるスライドレールが、テラスやカーポートの天井見上げ形状で天井縁部を廻縁様に環状に配置したり、あるいは適宜間隔を持った一対の平行線状に配置したり、または、適宜な間隔を持って互いに平行に設けられた複数本のスライドレールの配列を選択できること、
を特徴とする請求項１乃至請求項２記載の吊り下げ型物干し及び物干し金物の収納装置
【請求項４】
前記スライドレールに掛着され摺動するライナーが前記スライドレール上に予め固定位置を想定して設けられたスライドレール上の位置決め突起に係合して係止し、該位置決め突起は前記ライナーに支持された吊りパイプにより該ライナーを持ち上げ気味に摺動させることによってライナーのスライドレール上の位置決め突起との係合を解除して前記ライナーを摺動可能としたこと、
を特徴とする請求項１または請求項２記載の吊り下げ型物干し及び物干し金物の収納装置。
【請求項５】
前記スライドレールに掛着され摺動するライナーが前記テラスやカーポートの柱側や軒付側の隅にまとめて収納されるときに、該ライナーの下端部縁が、前記スライドレール縁部に設けた切欠部に係合して係止し、該ライナーを再びスライドレールに沿って摺動させる際には該ライナーに支持された吊りパイプを持ち上げ気味に摺動させることによってライナーのスライドレール上の切欠部との係合を解除して前記ライナーを摺動可能としたこと、
を特徴とする請求項１または請求項２記載の吊り下げ型物干し及び物干し金物の収納装置。
【請求項６】
前記吊り下げ型物干し金物の吊りパイプが前記ライナーと物干し竿掛け間で伸縮自在の構成となり、天井からの物干し竿掛けの懸吊位置を適宜調整可能としバックルやネジ等適宜締着機構にて調整後の物干し竿掛け懸吊位置を固定できること、
を特徴とする請求項１乃至請求項３記載の吊り下げ型物干し及び物干し金物の収納装置。
【発明の詳細な説明】
【技術分野】
【０００１】
本発明はテラスやカーポート等の天井より懸吊される吊り下げ型の物干しに関するものであり、本発明の目的はテラスやカーポート等の天井部より懸吊されるタイプの物干し金物を不要時にはスライドレールにて移動して、前記テラスやカーポートの柱側や軒付側の隅にまとめて収納して、テラスやカーポート本来の使用時に頭上の物干し金物が邪魔にならないようにするものである。
【０００２】
また、カーポートにおいては、自動車のないときに、カーポートの隅に収納している物干し金物をスライドレールにて引き出して、任意位置に配置することによりカーポートを物干し場として有効に使用できる吊り下げ型物干し金物の収納装置に関するものである。
【背景技術】
【０００３】
テラスやカーポートの屋根は、網入りガラスやアクリル板及びポリカーボネイト板により覆われており、雨除けと採光を重視した構造がとられているため、多くの場合、テラスやカーポートとしての役割の他、物干し場として使用されている割合が非常に多い。
【０００４】
従って、物干し竿掛けを屋根内面の天井部分から懸吊して、該物干し竿掛けに、物干し竿を装架することにより物干し場を構成しているが、該物干し金物や物干し竿は、丁度頭上付近に位置するため、物干し場として使用されている以外は、非常に邪魔であるばかりか、頭上に注意を払うことを忘れるを大変危険な物になりかねない。
【発明の開示】
【発明が解決しようとする課題】
【０００５】
而して、本発明の目的はテラスやカーポート等の天井面、またはテラスやカーポートの天井を構成する垂木や、屋根梁等より懸吊されるタイプの物干し金物金物を不要時には、テラスやカーポートの隅にまとめて収納し、前記テラスやサンルームを物干し以外に利用したい時、頭上の物干し金物が邪魔にならないようにするものである。
【０００６】
また、カーポートにおいては、例えば、自動車通勤後で、車のないときに、カーポートの隅にまとめて収納している物干し金物を任意位置に引き出して、カーポートを物干し場として有効に使用できる吊り下げ型物干し金物の収納装置を提供するものである。
【０００７】
本発明は、雨除けと採光を重視して造られたテラスやカーポートの利用頻度を高めるだけでなく、テラスやカーポート内で季節により雨除けと採光効率の良い位置に物干し金物を移動することも可能であることから使い勝手が良く、テラスやカーポートを有効活用する事ができる安全な物干し金物と、該物干し金物の収納装置を提供する。
【課題を解決するための手段】
【０００８】
本発明は、テラスやカーポートの天井、または、該天井面を構成する垂木や屋根梁にスライドレールを設置して、該スライドレールに摺動可能なライナーを掛着し、該ライナーに吊りパイプを介して移動できる物干し金物を懸吊した。前記物干し金物は天井面設置されるスライドレールに対して摺動可能なライナーと吊りパイプ並びに吊りパイプ下端に装着された物干し竿掛けからなる。
【０００９】
従って、前記ライナーは吊りパイプと物干し竿掛けを懸吊してスライドレールに沿って摺動し、予めスライドレールに設定された物干し金物固定位置や収納位置において固定可能であり、該物干し金物は、スライドレール上で通常はテラスの柱側や軒付側の隅に片づけられれていて、テラスを他の目的に使用にでき頭上に注意を払う必要がないので、自由な動線が確保できる。
【００１０】
また、カーポートは自動車通勤後の空きスペースとして有効利用が望まれているが、本発明の物干し金物収納装置を使用すれば、車を入庫する際には、物干し金物を柱側や軒付側の隅の収納位置にまとめることが可能で、物干し金物が全く邪魔に成らなず、カーポートを有効利用できる。
【００１１】
而して、本発明の具体的な構成は、テラスやカーポートの天井に直接、または該天井面を構成する垂木や屋根梁を利用してスライドレールを１対平行または、環上に設置し、該スライドレールに摺動可能にライナーを掛着して設けた。
そして、前記ライナーに対して回転可能に支持して懸吊した吊りパイプを設け、該懸吊された吊りパイプ下端に物干し竿掛けを連結して物干し金物を構成した。
【００１２】
斯くして、物干し金物を吊りパイプ並びに前記ライナーを介してスライドレール上にに複数個懸吊し、該複数個の物干し金物の内で互いに対向する一対の物干し金物の物干し竿掛け間に物干し竿を装架して吊り下げ型物干しを設定できる。
【００１３】
前記吊り下げ型物干しは、設置したテラス内またはカーポート内において不必要な時にはスライドレール上でライナーを介して摺動せしめ、吊り下げ型物干しを前記テラスやカーポートの柱側や軒付側の隅に前記物干し竿を装架したまま寄せて収納するか、或いは物干し竿を外して前記吊り下げ型物干し金物のみをまとめて収納することが可能である。
【００１４】
そして、前記吊り下げ型物干し金物の収納固定機構は、スライドレールに掛着され摺動するライナー並びに吊りパイプをテラスやカーポートの柱側や軒付側の隅にまとめて収納されるとき、該ライナーの下端部縁が、前記スライドレール縁部に設けた切欠部に係合して係止し、該ライナーを再びスライドレールに沿って摺動させる際には、該ライナーに支持された吊りパイプを持ち上げ気味に摺動させることでライナーのスライドレール上の切欠部との係合を解除して前記ライナーを摺動可能とした。
【００１５】
また、本発明は、スライドレールに掛着され摺動するライナーの位置固定機構を有しており、該位置固定機構は前記スライドレール上に予め固定位置を想定して設けられたスライドレール上の位置決め突起にライナーを係合して係止し、該位置決め突起は前記ライナーに回転可能に支持された吊りパイプにより該ライナーを持ち上げ気味に摺動させることでライナーのスライドレール上の位置決め突起との係合を解除してライナーを摺動可能とした吊り下げ型物干し金物の収納装置を提供することができた。
【００１６】
更に、本発明おいては、吊り下げ型物干し金物の吊りパイプをライナーと物干し竿掛け間で伸縮自在の構成となし、天井からの物干し竿掛けの懸吊位置を調整でき、バックルやネジの締着機構にて調整後の物干し竿掛け懸吊位置を固定できる様に構成して、通常水勾配を有して斜めに配置された垂木や天井面等に設置されるスライドレールが原因で、天井高さが異なる場合にあっても、物干し竿掛けの高さを一定に調整できる。
【発明の効果】
【００１７】
斯くして、本発明にあっては、テラスやカーポート等の天井面、またはテラスやカーポートの天井を構成する垂木や、屋根梁等より懸吊されるタイプの物干し金物金物を不要時には、テラスやカーポートの隅に摺動して収納し、前記テラスやカーポートを物干し以外に利用したい時、頭上の物干し金物が邪魔にならないようにすることができた。
【００１８】
また、カーポートにおいては、自動車通勤後で、車のないときに、カーポートの隅にまとめて収納している物干し金物を任意位置に簡単操作で引き出して、カーポートを物干し場として有効に利用できる吊り下げ型物干し金物の収納装置を提供でき、該カーポート等では物干し以外に車の洗車時に給水用ホースの保持用に物干し竿掛けが利用できる。
【００１９】
本発明は、雨除けと採光を重視して造られたテラスやカーポートの利用頻度を高めるだけでなく、テラスやカーポート内で季節により雨除けと採光効率の良い位置に物干し金物を移動することも可能であることから使い勝手が良く、テラスやカーポートを有効活用する事ができる安全な物干し金物で、該物干し金物は必要に応じて、簡単にセットしたり、片づけて収納することが出来る吊り下げ型物干し金物及び物干し金物の収納装置が提供できた。
【発明を実施するための最良の形態】
【００２０】
而して、本発明は、テラスやカーポート等の天井より懸吊される吊り下げ型の物干しに関するものであり、本発明の目的はテラスやカーポート等の天井部より懸吊されるタイプの物干し金物を不要時にはスライドレールにて移動して、前記テラスやカーポートの柱側や軒付側の隅にまとめて収納して、テラスやカーポート本来の使用時に頭上の物干し金物が邪魔にならないようにするものである。
【００２１】
斯くして、本発明は、建造物のテラスあるいはカーポートの天井に直接または該天井面を構成する垂木や屋根梁を利用して設置されたスライドレール、と、該スライドレールに摺動可能に掛着して設けたライナー、及び該ライナーに対して回転可能に支持して懸吊した吊りパイプ、より成り、該懸吊された吊りパイプ下端に物干し竿掛けを連結して物干し金物を構成し、又、該物干し金物を吊りパイプ並びに前記ライナーを介してスライドレールに複数個懸吊し、且つ、該複数個の物干し金物の内で互いに対向する一対の物干し金物の物干し竿掛け間に物干し竿を装架して設定された吊り下げ型物干しとなし、該吊り下げ型物干しを前記テラス内あるいはカーポート内において不必要な時にはスライドレール上をライナーを介して摺動せしめ該吊り下げ型物干しを前記テラスあるいはカーポートの柱側や軒付側の隅に収納する構成を採用した。  
【００２２】
また、本発明の他の特徴は、建造物のテラスあるいはカーポートの天井に直接、または該天井面を構成する垂木や屋根梁に適宜間隔を持ち平行に設置された１対のスライドレール、と、該それぞれのスライドレールに摺動可能に掛着して設けたライナー、及び、該それぞれのライナーに対して回転可能に支持して懸吊した吊りパイプ、より成り、該それぞれの吊りパイプ下端に物干し竿掛けをそれぞれ連結して一対の物干し金物を構成し、且つ、該一対の物干し竿掛け間に物干し竿を装架して設定された吊り下げ型物干しとなし、該吊り下げ型物干しは前記テラス内またはカーポート内において不必要な時には物干し竿を外すことなくスライドレール上をライナーを介して摺動せしめ、該吊り下げ型物干しを前記テラスあるいはカーポートの柱側や軒付側の隅に収納することを特徴とする吊り下げ型物干し及び物干し金物の収納装置でもある。
【００２３】
更に、本発明は前記スライドレールに掛着され摺動するライナーは前記スライドレール上に予め固定位置を想定して設けられたスライドレール上の位置決め突起に係合して係止し、該位置決め突起は前記ライナーに回転可能に支持された吊りパイプにより該ライナーを持ち上げ気味に摺動させることでライナーのスライドレール上の位置決め突起との係合を解除して前記ライナーを摺動可能としたこと好ましい。
【００２４】
同様に、収納時には、前記スライドレールに掛着され摺動するライナーは前記テラスやカーポートの柱側や軒付側の隅にまとめて収納されるとき、該ライナーの下端部縁が、前記スライドレール縁部に設けた切欠部に係合して係止し、該ライナーを再びスライドレールに沿って摺動させる際には、該ライナーに支持された吊りパイプを持ち上げ気味に摺動させることでライナーのスライドレール上の切欠部との係合を解除して前記ライナーを摺動可能とした。
【００２５】
更には、本発明では、前記吊り下げ型物干し金物の吊りパイプはライナーと物干し竿掛け間で伸縮自在の構成となし、天井からの物干し竿掛けの懸吊位置を調整できバックルやネジの締着機構にて調整後の物干し竿掛け懸吊位置を固定できるよう構成したことも特徴とする。
【００２６】
尚、本発明の説明にあたっては、主に室外側に設けられるテラスやカーポートを例に説明するが、本発明は浴室等室内向けの設備として使用されても、有効であることは勿論である。
【実施例１】
【００２７】
図１乃至図は本発明の実施例を示す説明図であり、図１は部分正面図、図２は図１の側面図、図３は物干し金物の摺動状態を説明する部分正面図図、図４は本発明をカーポートに取り付けた状態を示す説明図である。
【００２８】
図において、１は本発明の吊り下げ型物干し２が取り付けられるテラスやカーポートの部分断面を示すもので、垂木３にポリカーボネイト板４がはめ込まれており、天井面５を形成している。
【００２９】
前記垂木３は、通常、水勾配をとるために図１に示すようにどちらかに傾斜を持って構成されている。垂木３はアルミ押出型材等にて製作されており、該垂木３にはスライドレール６がビス等により固着されている。
【００３０】
スライドレール６は図２の側面図が示す如く、Ｈ型形状をしたアルミ形材からなり、該Ｈ型形状はスライドレールが部分的にＲ形状をしている場合にあっても加工がしやすい。前記スライドレール６は、スライドレール縁部７a、７bを有しており、該スライドレール縁部７a、７ｂにはライナー８が掛着されている。  
【００３１】
前記ライナー８の下部には、該ライナー８に対して回転可能に支持軸９にて支持された吊りパイプ１０が懸吊されていて、該吊りパイプ１０の下端には物干し竿が掛け１１が回転可能に連結されている。      
【００３２】
而して、本発明は、前記ライナー８、吊りパイプ１０、並びに物干し竿掛け１１により吊り下げ型物干し金物１２を構成し、、該物干し金物１２を吊りパイプ１０並びに前記ライナー８を介してスライドレール６に複数個懸吊し、該複数個の物干し金物１２の内で互いに対向する一対の物干し金物１２の物干し竿掛け１１間に物干し竿１３を装架して吊り下げ型物干し２とした。
【００３３】
前記吊り下げ型物干し２を前記テラス内またはカーポート内において不必要な時には、スライドレール６上をライナー８を介して摺動せしめ該吊り下げ型物干し２を前記テラスやカーポートの柱側や軒付側の隅に収納することが出来る。
【００３４】
斯くして、本発明においては、テラスやカーポートの天井面５に直接、または該天井面５を構成する垂木３等に適宜間隔を持って平行に一対のスライドレール６を設け、または、天井面５の縁部付近を廻縁の如く環状にスライドレール６を設置して、該スライドレール６に前記ライナー８、吊りパイプ１０、並びに物干し竿掛け１１を懸吊して吊り下げ型物干し金物１２を構成した。
【００３５】
前記吊り下げ型物干し金物１２は、テラス内またはカーポート内において、不必要なときには、物干し竿１３を外すことなくスライドレール６上をライナー８を介して摺動せしめ、該吊り下げ型物干し金物１２をテラスやカーポートの柱側１４（図４に示す）や軒付側１５の隅に収納できる。
【００３６】
また、本発明は、図３に示す如く、スライドレール６に掛着され摺動するライナー８は前記スライドレール１２上に予め固定位置を想定して設けられたスライドレール６上の位置決め突起１６に係合して係止し、該位置決め突起１６は前記ライナー８に支持された吊りパイプ１０により該ライナー８を持ち上げ気味に摺動させることでライナー８のスライドレール６上の位置決め突起１６との係合を解除して前記ライナー８を摺動可能としている。
【００３７】
更に本発明は、図３の想像線にて示す如く、前記スライドレール６に掛着され摺動するライナー８は前記テラスやカーポートの柱側や軒付側の隅にまとめて収納されるとき、該ライナー８の下端部縁１７が、前記スライドレール縁部７a、７bに設けた切欠部１８に係合して係止し、該ライナー８を再びスライドレール６に沿って摺動させる際には、該ライナー８に支持された吊りパイプ１０を持ち上げ気味に摺動させることでライナー８のスライドレール６上の切欠部１８との係合を解除して前記ライナー８を摺動可能にしている。
【００３８】
尚、前記吊り下げ型物干し金物１２の吊りパイプ１０は、図４に示す如く、ライナー８と物干し竿掛け１１間で伸縮自在の構成となし、天井面５からの物干し竿掛け１１の懸吊位置を調整できバックル１９a、１９ｂやネジの締着機構にて調整後の物干し竿掛け１１懸吊位置を固定できる。
【産業上の利用可能性】
【００３９】
上述の如く、本発明は、テラスやカーポートの利用価値を高める新しい商品となるもので、産業上の利用価値は多大なものがある。
【図面の簡単な説明】
【００４０】
【図１】本発明を説明する正面図である。
【図２】本発明を説明する側面図である。
【図３】本発明のストッパー機構を説明する正面図である。
【図４】本発明をカーポートに実施した例を説明する斜視図である。
【符号の説明】
【００４１】
１  テラス等の部分断面
２  吊り下げ型物干し
３  垂木
４  ポリカーボネイト板
５  天井面
６  スライドレール
７a、７ｂ  スライドレール縁部          
８  ライナー  
９  支持軸
１０  吊りパイプ  
１１  物干し竿掛け
１２  吊り下げ型物干し金物
１３  物干し竿              
１４  カーポートの柱側
１５  カーポートの軒付側
１６  位置決め突起
１７  ライナー下端部縁    
１８  切欠部
１９a、１９b  バックル
【図１】
2005058302.tif 000003
【図２】
2005058302.tif 000004
【図３】
2005058302.tif 000005
【図４】
2005058302.tif 000006